(57)【特許請求の範囲】
【請求項１】
ソケット本体上に電気部品を搭載する搭載部が設けられ、前記ソケット本体に前記電気部品の端子に離接可能なコンタクトピンが配設され、前記ソケット本体に対してスライドプレートが該ソケット本体上面に沿いスライド自在に設けられる一方、前記ソケット本体に該ソケット本体上面に対して垂直方向に移動自在に操作部材が配設され、該操作部材を移動させて前記スライドプレートをスライドさせることにより、前記コンタクトピンの弾性片を弾性変形させ、該弾性片の先端部に設けられた接触部を変位させて前記電気部品の端子から離間させるようにした電気部品用ソケットにおいて、
前記スライドプレートの移動方向両端側には、それぞれ傾斜面部又は該傾斜面部状を転動する移動用ローラの一方を設け、前記操作部材には、前記傾斜面部又は前記移動用ローラの他方を設け、前記操作部材を前記ソケット本体上面に対して垂直方向に移動させることにより、前記傾斜面部上を前記移動用ローラが転動して、前記スライドプレートがスライドされるように構成され、
前記操作部材と前記ソケット本体との間には、反力受け手段を設け、該反力受け手段は、前記操作部材又はソケット本体の一方に反力用ローラを設けると共に、他方に該反力用ローラが転動する転動壁部を設け、前記スライドプレートを移動させる際に該スライドプレートから前記操作部材に作用する反力を、前記反力用ローラ及び転動壁部を介して前記ソケット本体で受けるように構成されたことを特徴とする電気部品用ソケット。
【請求項２】
前記転動壁部に一定間隔をおいてガイド壁部を形成し、該転動壁部とガイド壁部との間に、前記反力用ローラを挿入することにより、前記操作部材を移動させるときの案内としたことを特徴とする請求項１記載の電気部品用ソケット。
【請求項３】
前記スライドプレートに前記傾斜面部を設け、前記操作部材に前記移動用ローラ及び前記反力用ローラを同軸上に設け、前記転動壁部を前記ソケット本体に設けたことを特徴とする請求項１又は２記載の電気部品用ソケット。
【請求項４】
電気部品用ソケットは外形が四角形状を呈し、前記スライドプレートは該四角形状の略対角線上にスライド可能に配設され、前記移動用ローラ及び傾斜面部は当該略対角線上に設けられたことを特徴とする請求項１乃至３の何れか一つに記載の電気部品用ソケット。
【発明の詳細な説明】
【０００１】
【発明の属する技術分野】
この発明は、半導体装置（以下「ＩＣパッケージ」という）等の電気部品を着脱自在に保持する電気部品用ソケット、特に、その電気部品の端子に離接するコンタクトピンの接触部を変位させるスライドプレートの移動機構の改良に関するものである。
【０００２】
【従来の技術】
従来から、この種の「電気部品用ソケット」としては、「電気部品」であるＩＣパッケージを着脱自在に保持するＩＣソケットがある。
【０００３】
このＩＣパッケージには、ＢＧＡ（Ball Grid Array）タイプと称するものがあり、これは方形のパッケージ本体の下面に端子としての多数の半田ボールが設けられている。
【０００４】
また、ＩＣソケットには、コンタクトピンが配設され、このコンタクトピンには、一対の弾性片が形成され、これら弾性片の先端部には、ＩＣパッケージの半田ボールの側面部に離接される接触部が形成されると共に、その一方の弾性片が横方向にスライドするスライドプレートにて押圧されて弾性変形されるようになっている。
【０００５】
そして、ソケット本体に対して操作部材が上下動自在に配設され、この操作部材を下降させることにより、リンク機構を介してそのスライドプレートをスライドさせて、一方の弾性片を弾性変形させることにより、両弾性片の両接触部の間隔を広げ、この間に半田ボールを挿入し、その後、スライドプレートが元の位置に復帰されることにより、一方の弾性片の接触部も元の位置に戻って行き、両接触部で半田ボールが挟持されて、電気的に接続されるようになっている。
【０００６】
この状態で、例えばバーンインテスト等の性能試験を行った後、上記と同様に、スライドプレートをスライドさせて、一方の弾性片の接触部を変位させて両接触部の間隔を広げて半田ボールから離間させ、ＩＣパッケージを自動機により、ＩＣソケットから取り出すようにしている。
【０００７】
このようにすれば、スライドプレートをスライドさせるだけで、無挿抜力式にＩＣパッケージの装着、取り外しを行えるので、作業能率を著しく向上させることができることとなる。
【０００８】
【発明が解決しようとする課題】
しかしながら、このような従来のものにあっては、操作部材の上下動をリンク機構を介してスライドプレートの横動に変換しており、このため、複数本のリンク部材等を用いることから、部品点数が増加すると共に、これらの比較的長い複数のリンク部材の配設スペースを確保するとＩＣソケット全体が大型化してしまう、という問題があった。
【０００９】
そこで、この発明は、部品点数の削減及び装置全体の小型化を図ることができる電気部品用ソケットを提供することを課題としている。
【００１０】
かかる課題を達成するために、請求項１に記載の発明は、ソケット本体上に電気部品を搭載する搭載部が設けられ、前記ソケット本体に前記電気部品の端子に離接可能なコンタクトピンが配設され、前記ソケット本体に対してスライドプレートが該ソケット本体上面に沿いスライド自在に設けられる一方、前記ソケット本体に該ソケット本体上面に対して垂直方向に移動自在に操作部材が配設され、該操作部材を移動させて前記スライドプレートをスライドさせることにより、前記コンタクトピンの弾性片を弾性変形させ、該弾性片の先端部に設けられた接触部を変位させて前記電気部品の端子から離間させるようにした電気部品用ソケットにおいて、
前記スライドプレートの移動方向両端側には、それぞれ傾斜面部又は該傾斜面部状を転動する移動用ローラの一方を設け、前記操作部材には、前記傾斜面部又は前記移動用ローラの他方を設け、前記操作部材を前記ソケット本体上面に対して垂直方向に移動させることにより、前記傾斜面部上を前記移動用ローラが転動して、前記スライドプレートがスライドされるように構成され、
前記操作部材と前記ソケット本体との間には、反力受け手段を設け、該反力受け手段は、前記操作部材又はソケット本体の一方に反力用ローラを設けると共に、他方に該反力用ローラが転動する転動壁部を設け、前記スライドプレートを移動させる際に該スライドプレートから前記操作部材に作用する反力を、前記反力用ローラ及び転動壁部を介して前記ソケット本体で受けるように構成されたことを特徴とする。
【００１３】
請求項２に記載の発明は、請求項１に記載の構成に加え、前記転動壁部に一定間隔をおいてガイド壁部を形成し、該転動壁部とガイド壁部との間に、前記反力用ローラを挿入することにより、前記操作部材を移動させるときの案内としたことを特徴とする。
【００１４】
請求項３に記載の発明は、請求項１又は２に記載の構成に加え、前記スライドプレートに前記傾斜面部を設け、前記操作部材に前記移動用ローラ及び前記反力用ローラを同軸上に設け、前記転動壁部を前記ソケット本体に設けたことを特徴とする。
【００１５】
請求項４に記載の発明は、請求項１乃至３の何れか一つに記載の構成に加え、電気部品用ソケットは外形が四角形状を呈し、前記スライドプレートは該四角形状の略対角線上にスライド可能に配設され、前記移動用ローラ及び傾斜面部は当該略対角線上に設けられたことを特徴とする。
【００１６】
【発明の実施の形態】
以下、この発明の実施の形態について説明する。
【００１７】
図１乃至図１２には、この発明の実施の形態を示す。
【００１８】
まず構成を説明すると、図中符号１１は、「電気部品用ソケット」としてのＩＣソケットで、このＩＣソケット１１は、「電気部品」であるＩＣパッケージ１２の性能試験を行うために、このＩＣパッケージ１２の「端子」である半田ボール１２ｂと、測定器（テスター）のプリント配線板（図示省略）との電気的接続を図るものである。
【００１９】
このＩＣパッケージ１２は、例えば図３に示すように、いわゆるＢＧＡ（Ball Grid Array）タイプと称されるもので、例えば方形のパッケージ本体１２ａの下面に多数の略球状の半田ボール１２ｂが突出してマトリックス状に配列されている。
【００２０】
一方、ＩＣソケット１１は、例えば図２に示すように、大略すると、プリント配線板上に装着されるソケット本体１３を有し、このソケット本体１３には、前記各半田ボール１２ｂに離接されるコンタクトピン１５が配設されると共に、このソケット本体１３の上側には、予圧プレート１６、スライドプレート１７及びトッププレート１８が順次積層されるように配設されている。さらに、このトッププレート１８の上側には、そのスライドプレート１７をスライドさせる操作部材１９が配設されている。
【００２１】
そのコンタクトピン１５は、バネ性を有し、導電性に優れた板材がプレス加工により図４に示すような形状に形成されている。
【００２２】
詳しくは、コンタクトピン１５は、上側に、固定側弾性片１５ｈ及び可動側弾性片１５ｉ（一対の弾性片）が形成され、下側に、１本のソルダーテール部１５ｂが形成されている。それら各弾性片１５ｈ，１５ｉは、基部１５ｃが略Ｕ字状に折曲されることにより、互いに対向するように形成されている。また、それら弾性片１５ｈ，１５ｉの上端部（先端部）には、ＩＣパッケージ１２の半田ボール１２ｂの側面部に離接する接触部１５ｄが形成され、この両接触部１５ｄで半田ボール１２ｂが挟持されるようになっている。
【００２３】
そして、このコンタクトピン１５のソルダーテール部１５ｂ及び基部１５ｃが、ソケット本体１３に形成された圧入孔１３ａに圧入されている。そして、ソケット本体１３から下方に突出したソルダーテール部１５ｂは、ロケートボード２１を介して更に下方に突出され、図示省略のプリント配線板の各貫通孔に挿通されて半田付けされることにより接続されるようになっている。
【００２４】
また、予圧プレート１６は、図１０に示すように、ソケット本体１３上に着脱自在に配設され、この予圧プレート１６には、前記コンタクトピン１５の弾性片１５ｈ，１５ｉが挿入される予圧孔１６ａが形成され、この予圧孔１６ａに弾性片１５ｈ，１５ｉが挿入された状態で、この弾性片１５ｈ，１５ｉを前記両接触部１５ｄが狭まる方向に押圧して弾性変形させるように、その予圧孔１６ａの径が設定されている。
【００２５】
ここでは、コンタクトピン１５の一対の弾性片１５ｈ，１５ｉに、折曲部１５ｅが形成されており、この折曲部１５ｅの頂点が前記予圧孔１６ａの内壁により押圧されるようになっている。
【００２６】
一方、スライドプレート１７は、ソケット本体上面１３ｄと平行な方向で、ＩＣソケット１１の四角形の外形の略対角線方向にスライド自在に配設され、このスライドプレート１７をスライドさせることにより、ソケット本体１３に配設されたコンタクトピン１５の可動側弾性片１５ｉが弾性変形されて、接触部１５ｄが所定量変位されるようになっている。
【００２７】
このスライドプレート１７は、操作部材１９を上下動（ソケット本体上面１３ｄと垂直な方向に移動）させることにより、後述する機構によりスライドされるようになっており、このスライドプレート１７には、可動側弾性片１５ｉを押圧して弾性変形させる押圧部１７ａが形成されている。
【００２８】
また、前記トッププレート１８は、ＩＣパッケージ１２が上側に搭載される搭載部１８ａを有すると共に、ＩＣパッケージ１２を所定の位置に位置決めするガイド部１８ｂが図１１に示すようにパッケージ本体１２ａの周縁部に対応して設けられている。
【００２９】
さらに、このトッププレート１８には、図１０（ａ）に示すように、各コンタクトピン１５の一対の接触部１５ｄの間に挿入される位置決め部１８ｃが形成され、コンタクトピン１５の両弾性片１５ｈ，１５ｉに外力が作用していない状態（両接触部１５ｄが閉じた状態）では、その位置決め部１８ｃは、両弾性片１５ｈ，１５ｉにて挟持された状態となっている。
【００３０】
さらにまた、前記操作部材１９は、図１及び図２に示すように、ＩＣパッケージ１２が挿入可能な大きさの開口１９ａを有し、この開口１９ａを介してＩＣパッケージ１２が挿入されて、トッププレート１８の搭載部１８ａ上の所定位置に搭載されるようになっている。また、この操作部材１９は、ソケット本体１３に対して上下動自在に配設され、図示省略のスプリングにより上方に付勢されると共に、ラッチ３８を回動させる作動凸部１９ｂが形成されている。
【００３１】
このラッチ３８は、図１に示すように、ＩＣソケット１１の外形の対角線上に配置され、図２に示すように、ソケット本体１３に軸３８ａを中心に回動自在に取り付けられ、スプリング３９により図２中ソケット本体１３中心方向に付勢され、先端部に設けられた押え部３８ｂによりＩＣパッケージ本体１２ａの周縁角部１２ｃを押さえるように構成されている。
【００３２】
また、このラッチ３８には、操作部材１９の作動凸部１９ｂにて押圧される被押圧部３８ｃが形成され、操作部材１９が下降されると、作動凸部１９ｂにて被押圧部３８ｃが押圧されて、ラッチ３８が図２中ソケット本体１３外方に回動されて、押え部３８ｂがＩＣパッケージ１２配設位置より退避されるようになっている。
【００３３】
さらに、この操作部材１９と前記スライドプレート１７との間には、スライドプレート１７をスライドさせる機構が設けられている。
【００３４】
すなわち、その操作部材１９には、図７に示すように、下面の対角線上に一対ずつ支持ポスト１９ｃが突設され、これら支持ポスト１９ｃに支持軸１９ｄが架設され、この支持軸１９ｄの中央部に移動用ローラ１９ｅが、この移動用ローラ１９ｅの両側に反力用ローラ１９ｆがそれぞれ独立して転動可能に支持されている。
【００３５】
また、スライドプレート１７には、図９に示すように、前記移動用ローラ１９ｅが転動する傾斜面部１７ｂが形成され、操作部材１９が下降されてその移動用ローラ１９ｅが傾斜面部１７ｂ上を転動することにより、スライドプレート１７が図５及び図８中矢印方向にスライドされるように構成されている。
【００３６】
さらに、前記ソケット本体１３には、図６及び図８に示すように、前記反力用ローラ１９ｆが転動する転動壁部１３ｂが上方に突設されることにより、前記スライドプレート１７を移動させる際に前記操作部材１９に作用する反力を、前記反力用ローラ１９ｆを介して転動壁部１３ｂで受けるように構成されている。この反力用ローラ１９ｆ及び転動壁部１３ｂにて「反力受け手段」が構成されている。しかも、この転動壁部１３ｂに隣接して平行にガイド壁部１３ｃが突設され、このガイド壁部１３ｃと転動壁部１３ｂとの間に反力用ローラ１９ｆが挿入され、操作部材１９の上下動が案内されるようになっている。
【００３７】
次に、作用について説明する。
【００３８】
予め、プリント配線板上に配置された多数のＩＣソケット１１に、それぞれＩＣパッケージ１２を自動機によりセットするには、まず、操作部材１９を下方に押し下げる。すると、この操作部材１９は、反力用ローラ１９ｆがガイド壁部１３ｃと転動壁部１３ｂとの間に挿入された状態で、両者により、反力用ローラ１９ｆがガイドされて操作部材１９が搭載部１８ａに対して垂直方向に精度良く下降されることとなる。
【００３９】
そして、この操作部材１９の下降に伴って、移動用ローラ１９ｅがスライドプレート１７の傾斜面部１７ｂ上を転動することにより、このスライドプレート１７が図５中矢印方向にスライドされる。すると、このスライドプレート１７の押圧部１７ａにてコンタクトピン１５の可動側弾性片１５ｉが押圧されて弾性変形される。他方の固定側弾性片１５ｈはトッププレート１８の位置決め部１８ｃにて所定の位置に保持されている。
【００４０】
これで、図１０の（ｂ）に示すように、コンタクトピン１５の一対の接触部１５ｄが開かれる。
【００４１】
また、これと同時に、操作部材１９の作動凸部１９ｂにより、ラッチ３８の被押圧部３８ｃが押されて、スプリング３９の付勢力に抗して図２中反時計回りに回動され、押え部３８ｂが退避位置まで変位する。
【００４２】
この状態で、自動機により搬送されたＩＣパッケージ１２がトッププレート１８の搭載部１８ａ上に、ガイド部１８ｂにガイドされて所定位置に搭載され、ＩＣパッケージ１２の各半田ボール１２ｂが、各コンタクトピン１５の開かれた一対の接触部１５ｄの間に、非接触状態で挿入される。
【００４３】
その後、操作部材１９の下方への押圧力を解除すると、この操作部材１９がスプリングの付勢力で、上昇されると共に、スライドプレート１７がコンタクトピン１５の可動側弾性片１５ｉの付勢力で元の位置までスライドされると共に、ラッチ３８がスプリング３９の付勢力により図２中時計回りに回動される。
【００４４】
スライドプレート１７が図１０中左方向にスライドされると、コンタクトピン１５の可動側弾性片１５ｉに対する押圧力が解除され、この可動側弾性片１５ｉが元の位置に復帰して行き、この可動側弾性片１５ｉの接触部１５ｄと固定側弾性片１５ｈの接触部１５ｄとにより、半田ボール１２ｂが挟持される（図１０の（ｃ），図１１参照）。この挟持時には、固定側弾性片１５ｈも僅かに弾性変形して、この固定側弾性片１５ｈの接触部１５ｄが広がる方向に多少変位することとなる。
【００４５】
これにより、ＩＣパッケージ１２の各半田ボール１２ｂとプリント配線板とがコンタクトピン１５を介して電気的に接続されることとなる。
【００４６】
このようにしてＩＣパッケージ１２がＩＣソケット１１に保持され、このＩＣソケット１１が配置されたプリント配線板を例えばバーンイン槽内にセットしてバーンインテストを行う。
【００４７】
次いで、ＩＣパッケージ１２を装着状態から取り外すには、同様に操作部材１９を下降させる。すると、上記と同様に、スライドプレート１７が図１１に示す状態から右方向にスライドされて、図１２に示すように、可動側弾性片１５ｉが右方向に弾性変形されて、この可動側弾性片１５ｉの接触部１５ｄが変位する。これで、ＩＣパッケージ１２の半田ボール１２ｂから一対の接触部１５ｄが離間されることにより、この状態から、自動機によりＩＣパッケージ１２をＩＣソケット１１から無抜力で外すことができる。
【００４８】
上記のように移動用ローラ１９ｅと傾斜面部１７ｂを用いてスライドプレート１７をスライドさせることにより、従来のようにリンク機構を用いる必要がないため、部品点数を削減できると共に、長尺物の複数のリンク部材の配設スペースを確保する必要がないため、ＩＣソケット１１を小型化できる。
【００４９】
しかも、移動用ローラ１９ｅを用いることにより、傾斜面部１７ｂの摩耗を防止することができ、長期使用が可能となる。
【００５０】
ここでは、スライドプレート１７の移動方向が、ＩＣソケット１１の四角形の外形の対角線上であるため、ここにリンク部材を対角線と平行に配設することは、より装置の大型化を招くものであり、上記のように移動用ローラ１９ｅと傾斜面部１７ｂを対角線上に配置することにより、これらを用いてスライドプレート１７をスライドさせることは、特に有効に小型化を図ることができる。
【００５１】
また、移動用ローラ１９ｅで傾斜面部１７ｂを押しているときには、この移動用ローラ１９ｅに傾斜面部１７ｂから反力が作用する。そのため、操作部材１９は横方向に逃げようとするが、反力用ローラ１９ｆがソケット本体１３の転動壁部１３ｂ上を転動することにより、その逃げを防止することができ、操作部材１９を精度良く上下動（垂直動）させることができる。しかも、この場合には、反力用ローラ１９ｆを用いて傾斜面部１７ｂ上を転動させるようにしているため、摩耗が抑制される。
【００５２】
ちなみに、この場合には、反力用ローラ１９ｆと移動用ローラ１９ｅとは互いに反対方向に回転する。
【００５３】
さらに、その反力用ローラ１９ｆと移動用ローラ１９ｅとは同軸１９ｄ上に配置されているため、よりコンパクト化できると共に、傾斜面部１７ｂから移動用ローラ１９ｅに作用する反力が、この移動用ローラ１９ｅと同軸上で隣接して配置された反力用ローラ１９ｆを介して転動壁部１３ｂで受け止められることから、反力が作用する部位から反力を受け止める部位までが接近しているため、操作部材１９には広範囲に渡って不要な外力が作用することがなく、操作部材１９の移動を安定させることができる。
【００５４】
なお、上記実施の形態等では、「電気部品用ソケット」としてＩＣソケット１１に、この発明を適用したが、これに限らず、他の装置にも適用できることは勿論である。また、上記実施の形態では、操作部材１９に移動用ローラ１９ｅを、スライドプレート１７に傾斜面部１７ｂをそれぞれ設けたが、この反対に、操作部材１９に傾斜面部を、スライドプレート１７に移動用ローラをそれぞれ設けることもできる。さらに、操作部材１９に反力用ローラ１９ｆを、ソケット本体１３に転動壁部１３ｂをそれぞれ設けたが、この反対に、操作部材１９に転動壁部を、ソケット本体１３に反力用ローラをそれぞれ設けることもできる。さらにまた、「反力受け手段」として反力用ローラ１９ｆを用いて転動壁部１３ｂを転動させるようにしているが、これに限らず、ローラを用いずに摺動させるような構造とすることもできる。しかも、上記実施の形態では、コンタクトピン１５に固定側弾性片１５ｈと可動側弾性片１５ｉとが設けられているが、可動側弾性片１５ｉのみが設けられたものにもこの発明を適用できる。
【００５５】
【発明の効果】
以上説明してきたように、請求項１に記載の発明によれば、操作部材又はスライドプレートの一方に傾斜面部を設け、他方に傾斜面部上を転動する移動用ローラを設け、操作部材をソケット本体上面に対して垂直方向に移動させることにより、傾斜面部上を移動用ローラが転動して、スライドプレートがスライドされるように構成したため、従来のようにリンク機構を用いる必要がないため、部品点数を削減できると共に、電気部品用ソケットの小型化を図ることができる。しかも、移動用ローラを用いることにより、傾斜面部の摩耗を防止することができ、長期使用が可能となる。
【００５６】
また、上記効果に加え、スライドプレートを移動させる際に操作部材に作用する反力を、反力受け手段で受けるように構成したため、操作部材が反力によりソケット本体上面と平行な方向に移動してしまうようなことがなく、スライドプレートのスライドを高精度に行うことができる。
【００５７】
更に、上記効果に加え、操作部材又はソケット本体の一方に反力用ローラを設け、他方に該反力用ローラが転動する転動壁部を設けることにより、スライドプレートを移動させる際に操作部材に作用する反力を、反力用ローラ及び転動壁部を介してソケット本体で受けるように構成したため、転動壁部等の摩耗を防止でき、長期使用が可能となる。
【００５８】
請求項２に記載の発明によれば、上記効果に加え、転動壁部に一定間隔をおいてガイド壁部を形成し、転動壁部とガイド壁部との間に、反力用ローラを挿入することにより、操作部材を移動させるときの案内としたため、操作部材をソケット本体上面に対して垂直方向に精度良く移動させることができる。
【００５９】
請求項３に記載の発明によれば、上記効果に加え、スライドプレートに傾斜面部を設け、操作部材に移動用ローラ及び反力用ローラを同軸上に設け、転動壁部をソケット本体に設けたため、電気部品用ソケットをより小型化できると共に、傾斜面部から移動用ローラに作用する反力が、この移動用ローラと同軸上で隣接して配置された反力用ローラを介して転動壁部で受け止められることから、反力が作用する部位から反力を受け止める部位までが接近しているため、操作部材には広範囲に渡って不要な外力が作用することがなく、操作部材の移動を安定させることができる。
【００６０】
請求項に４記載の発明によれば、上記効果に加え、電気部品用ソケットは外形が四角形状を呈し、スライドプレートは四角形状の略対角線上に移動可能に配設されているものにおいては、従来のリンク部材を対角線と平行に配設しようとすると、より装置の大型化を招くものであり、上記のように移動用ローラと傾斜面部を用いてスライドプレートをスライドさせることは、特に有効に小型化を図ることができる。
【図面の簡単な説明】
【図１】この発明の実施の形態に係るＩＣソケットの平面図である。
【図２】同実施の形態に係る図１のＡ−Ａ線に沿う断面図である。
【図３】同実施の形態に係るＩＣパッケージを示す図で、（ａ）は正面図、（ｂ）は底面図である。
【図４】同実施の形態に係るコンタクトピンを示す図で、（ａ）は同コンタクトピンの正面図、（ｂ）は（ａ）の右側面図、（ｃ）は（ａ）のＣーＣ線に沿う断面図である。
【図５】同実施の形態に係る図１のＤ−Ｄ線に沿う概略断面図である。
【図６】同実施の形態に係る図１のＥ−Ｅ線に沿う概略断面図である。
【図７】同実施の形態に係る操作部材の裏面図である。
【図８】同実施の形態に係るソケット本体にスライドプレートを装着した状態を示す概略平面図である。
【図９】同実施の形態に係るスライドプレートを示す図で、（ａ）はそのスライドプレートの概略平面図、（ｂ）は同スライドプレートの概略正面図である。
【図１０】同実施の形態に係る作用を示す断面図で、（ａ）はコンタクトピンの一対の接触部を閉じた状態、（ｂ）はコンタクトピンの一対の接触部を開いた状態、（ｃ）はコンタクトピンの一対の接触部で半田ボールを挟持した状態の断面図である。
【図１１】同実施の形態に係る半田ボールを一対の接触部で挟持した状態を示す縦断面図である。
【図１２】同実施の形態に係る一対の接触部を開いた状態を示す図１１に相当する縦断面図である。
【符号の説明】
11  ＩＣソケット（電気部品用ソケット）
12  ＩＣパッケージ（電気部品）
12a パッケージ本体
12b 半田ボール（端子）
13  ソケット本体
13b 転動壁部（反力受け手段）
13c ガイド壁部
15  コンタクトピン
15d 接触部
15h 固定側弾性片
15i 可動側弾性片
17  スライドプレート
17b 傾斜面部
18  トッププレート
18a 搭載部
19  操作部材
19d 支持軸
19e 移動用ローラ
19f 反力用ローラ（反力受け手段）
【図１】
0003758069.tif 000002
【図２】
0003758069.tif 000003
【図３】
0003758069.tif 000004
【図４】
0003758069.tif 000005
【図５】
0003758069.tif 000006
【図６】
0003758069.tif 000007
【図７】
0003758069.tif 000008
【図８】
0003758069.tif 000009
【図９】
0003758069.tif 000010
【図１０】
0003758069.tif 000011
【図１１】
0003758069.tif 000012
【図１２】
0003758069.tif 000013